(57)【要約】【課題】  冷却設備とデマンド制御が実行される空調設備とが設置された店舗における適切な温度管理を行う。【解決手段】  デフロスト動作を行う冷却設備と、所定スケジュールに基づく順番に従い所定時間消費電力量を抑制する電力抑制制御が実行される複数の空調設備とが設けられる店舗におけるエネルギーを管理するエネルギー管理装置は、前記冷却設備の動作状態を取得する取得部と、前記取得部により取得された前記冷却設備の動作状態が前記デフロスト動作中である場合、該冷却設備との位置関係に応じて特定された前記空調設備の制御状態に基づき、前記所定スケジュールを変更し、前記電力抑制制御を行う制御部とを有する。【選択図】  図２
2016008738.tif 000002
【特許請求の範囲】
【請求項１】
デフロスト動作を行う冷却設備と、所定スケジュールに基づく順番に従い所定時間消費電力量を抑制する電力抑制制御が実行される複数の空調設備とが設けられる店舗におけるエネルギーを管理するエネルギー管理装置であって、
前記冷却設備の動作状態を取得する取得部と、
前記取得部により取得された前記冷却設備の動作状態が前記デフロスト動作中である場合、前記冷却設備との位置関係に応じて特定された前記空調設備の制御状態に基づき、前記所定スケジュールを変更し、前記電力抑制制御を行う制御部とを有するエネルギー管理装置。
【請求項２】
前記特定された空調設備は、前記冷却設備に最も近くに位置する空調設備である請求項１に記載のエネルギー管理装置。
【請求項３】
前記空調設備が冷房運転中であり、前記特定された空調設備の制御状態が前記電力抑制制御中である場合、前記制御部は、前記特定された空調設備に対する前記電力抑制制御を解除し、前記特定された空調設備とは異なる他の空調設備に対して前記電力抑制制御を行うように前記所定スケジュールを変更する請求項１又は２に記載のエネルギー管理装置。
【請求項４】
前記所定スケジュールは、該所定スケジュールにおいて次に前記電力抑制制御を行う予定の前記空調設備を前倒して前記電力抑制制御を行うように変更される請求項３に記載のエネルギー管理装置。
【請求項５】
前記空調設備が暖房運転中であり、前記特定された空調設備の制御状態が前記電力抑制制御中でない場合、前記制御部は、前記電力抑制制御中である空調設備に対する前記電力抑制制御を解除し、前記特定された空調設備に対して前記電力抑制制御を行うように前記所定スケジュールを変更する請求項１又は２に記載のエネルギー管理装置。
【請求項６】
前記制御部は、前記空調設備に対する前記電力抑制制御の終了後、同一の前記空調設備に対して前記電力抑制制御が開始される場合、前記電力抑制制御の終了時と開始時との時間差が所定間隔以上空くように前記所定スケジュールを変更する請求項５に記載のエネルギー管理装置。
【請求項７】
前記制御部は、前記所定時間が一定時間以下となるように前記所定スケジュールを変更する請求項１乃至６のいずれか一項に記載のエネルギー管理装置。
【請求項８】
前記店舗における人の流量及び移動速度を測定する測定部を、更に有し、
前記制御部は、前記測定された人の流量及び移動速度に基づき、前記空調設備の動作を変更する請求項１乃至７に記載のエネルギー管理装置。
【請求項９】
デフロスト動作を行う冷却設備と、所定スケジュールに基づく順番に従い所定時間消費電力量を抑制する電力抑制制御が実行される複数の空調設備とが設けられる店舗におけるエネルギーを管理するエネルギー管理装置と、を含むエネルギー管理システムであって、
前記エネルギー管理装置は、
前記冷却設備の動作状態を取得する取得部と、
前記取得部により取得された前記冷却設備の動作状態が前記デフロスト動作中である場合、前記冷却設備との位置関係に応じて特定された空調設備の制御状態に基づき、前記所定スケジュールを変更し、前記電力抑制制御を行う制御部と
を含むエネルギー管理システム。
【請求項１０】
デフロスト動作を行う冷却設備と、所定スケジュールに基づく順番に従い所定時間消費電力量を抑制する電力抑制制御が実行される複数の空調設備とが設けられる店舗におけるエネルギーを管理するエネルギー管理装置が行うエネルギー管理方法であって、
前記冷却設備の動作状態を取得する取得ステップと、
前記取得部により取得された前記冷却設備の動作状態が前記デフロスト動作中である場合、前記冷却設備との位置関係に応じて特定された空調設備の制御状態に基づき、前記所定スケジュールを変更し、前記電力抑制制御を行う制御ステップと
を含むエネルギー管理方法。
【発明の詳細な説明】
【技術分野】
【０００１】
本発明は、エネルギー管理装置、エネルギー管理システム及びエネルギー管理方法に関する。
【背景技術】
【０００２】
店舗に設置されている冷凍・冷蔵ショーケースのような冷却設備は、内蔵された蒸発器に付着する霜を除去するために、定期的にデフロスト（除霜）動作を行っている。デフロスト動作中は、冷却設備の冷却機能が停止しているため、冷却設備の庫内の温度が上昇する。
【０００３】
一方、近年、スーパーマーケット又はコンビニエンスストア等の店舗（以下、店舗）では、省エネを実現するためＳＥＭＳ（Ｓｔｏｒｅ  Ｍａｎａｇｅｍｅｎｔ  Ｓｙｓｔｅｍ）が導入されている。ＳＥＭＳの一例として、店舗において系統から供給される積算電力量が所定期間毎に目標電力量を超えないように店舗内の複数の空調設備等の負荷のうちの一部の負荷の消費電力量を抑制するデマンド制御がある。具体的には、店舗にデマンド制御が適用される場合、店舗内の複数の負荷に対して、予め決められたスケジュールに基づく順番に従い、所定時間消費電力量を抑制する制御（以下、電力抑制制御）が実行される。
【０００４】
ここで、デマンド制御により店舗内の空調設備に対して電力抑制制御が実行される場合であっても、店舗内の温度を適当に調整する技術が開示されている（例えば特許文献１）。具体的には、店舗内の温度が所定の範囲内ではない場合、空調設備に対して電力抑制制御が実行されないように制御することで、店舗内の温度が上がり過ぎない（又は下がり過ぎない）ように適当に調整できる。
【先行技術文献】
【特許文献】
【０００５】
【特許文献１】特開２００５−３３７５７４号公報
【発明の概要】
【発明が解決しようとする課題】
【０００６】
しかしながら、空調設備と冷却設備とが設置された店舗において、ある空調設備がデマンド制御による電力抑制制御中の場合、電力抑制制御中の空調設備の近傍に位置する冷却設備がデフロスト動作中であると、冷却設備の庫内の温度が過度に上昇してしまう。そのため、過度な温度上昇により、冷却設備の庫内の食品の品質が劣化してしまうといった問題がある。
【０００７】
そこで、本発明は、上述した課題を解決するため、冷却設備とデマンド制御が実行される空調設備とが設置された店舗における適切な温度管理を行うことを目的とする。
【課題を解決するための手段】
【０００８】
本発明の第１の特徴におけるエネルギー管理装置は、デフロスト動作を行う冷却設備と、所定スケジュールに基づく順番に従い所定時間消費電力量を抑制する電力抑制制御が実行される複数の空調設備とが設けられる店舗におけるエネルギーを管理するエネルギー管理装置であって、前記冷却設備の動作状態を取得する取得部と、前記取得部により取得された前記冷却設備の動作状態が前記デフロスト動作中である場合、該冷却設備との位置関係に応じて特定された前記空調設備の制御状態に基づき、前記所定スケジュールを変更し、前記電力抑制制御を行う制御部とを有する。
【０００９】
本発明の第１の特徴におけるエネルギー管理装置において、前記特定された前記空調設備は、前記冷却設備に最も近くに位置する空調設備である。
【００１０】
本発明の第１の特徴におけるエネルギー管理装置において、前記空調設備が冷房運転中であり、前記特定された空調設備の制御状態が前記電力抑制制御中である場合、前記制御部は、前記特定された空調設備に対する前記電力抑制制御を解除し、前記特定された空調設備と異なる他の空調設備に対して前記電力抑制制御を行うように前記所定スケジュールを変更する。
【００１１】
本発明の第１の特徴におけるエネルギー管理装置において、前記所定スケジュールは、該所定スケジュールにおいて次に前記電力抑制制御を行う予定の前記空調設備を前倒して前記電力抑制制御を行うように変更される。
【００１２】
本発明の第１の特徴におけるエネルギー管理装置において、前記空調設備が暖房運転中であり、前記特定された空調設備の制御状態が前記電力抑制制御中でない場合、前記制御部は、前記電力抑制制御中である空調設備に対する前記電力抑制制御を解除し、前記特定された空調設備に対して前記電力抑制制御を行うように前記所定スケジュールを変更する。
【００１３】
本発明の第１の特徴におけるエネルギー管理装置において、前記制御部は、前記空調設備に対する前記電力抑制制御の終了後、同一の前記空調設備に対して前記電力抑制制御が開始される場合、前記電力抑制制御の終了時と開始時との時間差が所定間隔以上空くように前記所定スケジュールを変更する。
【００１４】
本発明の第１の特徴におけるエネルギー管理装置において、前記制御部は、前記所定時間が一定時間以下となるように前記所定スケジュールを変更する。
【００１５】
本発明の第１の特徴におけるエネルギー管理装置は、前記店舗における人の流量及び移動速度を測定する測定部を有し、前記制御部は、前記測定された人の流量及び移動速度に基づき、前記空調設備の動作を変更する。
【００１６】
本発明の第２の特徴におけるエネルギー管理システムは、デフロスト動作を行う冷却設備と、所定スケジュールに基づく順番に従い所定時間消費電力量を抑制する電力抑制制御が実行される複数の空調設備とが設けられる店舗におけるエネルギーを管理するエネルギー管理システムであって、前記冷却設備の動作状態を取得する取得部と、前記取得部により取得された前記冷却設備の動作状態が前記デフロスト動作中である場合、該冷却設備との位置関係に応じて特定された前記空調設備の制御状態に基づき、前記所定スケジュールを変更し、前記電力抑制制御を行う制御部とを有する。
【００１７】
本発明の第３の特徴におけるエネルギー管理方法は、デフロスト動作を行う冷却設備と、所定スケジュールに基づく順番に従い所定時間消費電力量を抑制する電力抑制制御が実行される複数の空調設備とが設けられる店舗におけるエネルギーを管理するエネルギー管理装置が行うエネルギー管理方法であって、前記エネルギー管理装置が、前記冷却設備の動作状態を取得する取得ステップと、前記エネルギー管理装置が、前記取得部により取得された前記冷却設備の動作状態が前記デフロスト動作中である場合、該冷却設備との位置関係に応じて特定された前記空調設備の制御状態に基づき、前記所定スケジュールを変更し、前記電力抑制制御を行う制御ステップとを有する。
【発明の効果】
【００１８】
本発明の実施形態によれば、冷却設備とデマンド制御が実行される空調設備とが設置された店舗における適切な温度管理を行うことができる。
【図面の簡単な説明】
【００１９】
【図１】図１は、本実施形態におけるエネルギー管理システムを示す図である。
【図２】図２は、本実施形態におけるエネルギー管理装置の機能ブロック図である。
【図３】図３は、本実施形態における空調設備と冷却設備との位置関係を説明するための図である。
【図４】図４は、本実施形態における空調設備が冷房運転である場合のエネルギー管理システムの動作を示す図である。
【図５】図５は、本実施形態における空調設備が暖房運転である場合のエネルギー管理システムの動作を示す図である。
【図６】図６は、本実施形態における空調設備が冷房運転である場合のエネルギー管理装置によるデフロスト動作検出時の所定スケジュールの変更処理手順を示すフローチャート図である。
【図７】図７は、本実施形態における空調設備が冷房運転である場合のエネルギー管理装置による電力抑制制御の制御対象変更時の時の所定スケジュールの変更処理手順を示すフローチャート図である。
【図８】図８は、本実施形態における空調設備が暖房運転である場合のエネルギー管理装置によるデフロスト動作検出時の所定スケジュールの変更処理手順を示すフローチャート図である。
【図９】図９は、本実施形態の変形例におけるエネルギー管理装置の機能ブロック図である。
【図１０】本実施形態の変形例における空調設備制御情報管理テーブルに含まれる情報を示す図である。
【発明を実施するための形態】
【００２０】
以下において、本発明の実施形態における電力管理装置及び電力管理方法について、図面を参照しながら説明する。なお、以下の図面の記載において、同一又は類似の部分には、同一又は類似の符号を付している。
【００２１】
［本実施形態］
（システム構成）
以下において、本実施形態におけるエネルギー管理システムについて説明する。図１は、本実施形態におけるエネルギー管理システム１を示す図である。
【００２２】
図１に示すように、エネルギー管理システム１は、エネルギー管理装置１０と、空調設備２０と、冷却設備３０とを有する。エネルギー管理装置１は、店舗に含まれる空調設備２０及び冷却設備３０のそれぞれとネットワークを介して通信可能に接続されている。空調設備２０は、空調設備の室内機（以下、空調室内機）２１ａ、２１ｂ及び空調設備の室外機（以下、空調室外機）２２を含む。冷却設備３０は、冷却設備の冷凍・冷蔵ショーケース（以下、冷凍・冷蔵ショーケース）３１ａ、３１ｂ、３１ｃ及び冷却設備の冷凍・冷蔵機（以下、冷凍・冷蔵機）３２を含む。
【００２３】
エネルギー管理システム１は、空調設備２０及び冷却設備３０を含む負荷が設置された店舗におけるデマンド制御を行うシステムである。エネルギー管理システム１は、ＥＭＳ（Ｅｎｅｒｇｙ  Ｍａｎａｇｅｍｅｎｔ  Ｓｙｓｔｅｍ）又は特に店舗におけるＥＭＳとしてＳＥＭＳ（Ｓｔｏｒｅ  Ｅｎｅｒｇｙ  Ｍａｎａｇｅｍｅｎｔ  Ｓｙｓｔｅｍ）ともいう。
【００２４】
デマンド制御とは、店舗において系統から供給される積算電力量が所定期間毎に目標電力量を超えないように店舗に設置された複数の負荷のうちの一部の負荷の消費電力量を抑制する制御である。具体的には、デマンド制御における所定スケジュールに基づく順番に従い所定時間消費電力量を抑制する電力抑制制御が実行される。具体的には、デマンド制御により、予め決められたスケジュールに基づく順番に従い選択された一以上の負荷に対して所定時間消費電力量を抑制する電力抑制制御が実行される。電力抑制制御には、例えば、負荷の動作を停止させたり、動作を変更させたりする制御が含まれる。
【００２５】
エネルギー管理装置１０は、店舗におけるエネルギーを管理する装置である。エネルギー管理装置１０は、店舗に設置された空調設備２０及び冷却設備３０を含む負荷の消費電力量を監視し、デマンド制御を行う。エネルギー管理装置１０は、冷却設備３０等の負荷の動作状態を監視し、動作を制御する。エネルギー管理装置１０は、例えば店舗のバックルーム等に設置される。但し、エネルギー管理装置１０は、店舗内に設置されてもよい。
【００２６】
空調設備２０は、電力線を介して電力の供給を受け、空調を行う設備である。空調設備２０は、空調室内機２１と空調室外機２２とを含むエアコン等である。空調室内機２１は、例えば店舗の売場等に複数設置される空調設備の一例である。空調室外機２２は、店舗の外部に設置される。空調室外機２２は、電源から電力の供給を受け、空調室内機２１に給電する。なお、空調室内機２１と空調室外機２２とは、それぞれ別の電源から電力の供給を受けてもよい。
【００２７】
冷却設備３０は、電力線を介して電力の供給を受け、冷凍及び冷蔵（冷却）を行う設備である。冷却設備３０は、冷凍・冷蔵ショーケース３１と冷凍・冷蔵機３２とを含む。
【００２８】
冷凍・冷蔵ショーケース３１は、内蔵された蒸発器に付着する霜を除去するために、定期的にデフロスト動作を行う。デフロスト動作中は、冷凍・冷蔵ショーケース３１の庫内を冷却する冷却機能が停止する。本実施形態において冷凍・冷蔵ショーケース３１は、冷却機能を有し、デフロスト動作を行う冷却設備の一例である。したがって、冷却設備は、冷凍・冷蔵ショーケース３１に限らず、例えばデフロスト動作を実行する冷凍・冷蔵庫等であってもよい。
【００２９】
（機能構成）
本実施形態のエネルギー管理装置１０について説明する。図２は、本実施形態のエネルギー管理装置１０の機能ブロック図である。
【００３０】
図２に示すように、エネルギー管理装置１０は、空調制御部１０１と、ＥＭＳ制御部１０２と、管理部１０３と、動作状態取得部１０４と、電力計測部１０５とを有する。
【００３１】
空調制御部１０１は、ＥＭＳ制御部１０２からの指示に基づき、通常の空調制御（例えば、空調室内機２１のＯＮ／ＯＦＦ、設定温度の変更）並びに電力抑制制御の実行及び解除を行う。電力抑制制御とは、空調室外機２２が備えるヒートポンプ機能を停止することにより、消費電力量が抑制されるように、室内機の冷房又は暖房機能を無効化したり、弱めたりすることである。電力抑制制御の解除とは、停止している空調室外機２２が備えるヒートポンプ機能を動作させることである。
【００３２】
ＥＭＳ制御部１０２は、デマンド制御における予め設定された所定スケジュールを管理し、所定スケジュールに基づく順番に従い、空調室内機２１に対する所定時間における電力抑制制御の実行を、空調制御部１０１に対して指示する。なお、ある時間帯で同時に電力抑制制御の実行対象となる空調室内機２１は、１台に限らず複数台であってもよい。さらに、ＥＭＳ制御部１０２は、動作状態取得部１０４から出力される冷却設備３０の動作状態及び空調室内機２１と冷凍・冷蔵ショーケース３１との位置関係に基づき、デマンド制御における所定スケジュールを変更する。デマンド制御における所定スケジュールを変更する処理の詳細は、後述する。
【００３３】
ここで、図３を用いて、空調室内機２１と冷凍・冷蔵ショーケース３１との位置関係を説明する。図３は、本実施形態における空調室内機２１と冷凍・冷蔵ショーケース３１との位置関係を説明するための図である。
【００３４】
図３は、店舗におけるフロア図である。図３には、空調室内機２１ａ１、２１ａ２、２１ｂ１、２１ｂ２、２１ｃ１、２１ｃ２と、冷凍・冷蔵ショーケース３１ａ、３１ｂ、３１ｃとが示されている。図３に示される空調エリア２１０ａ（空調エリアＡ）は、空調室内機２１ａ１及び空調室内機２１ａ２により空調されるエリア（以下、空調エリア）である。空調エリア２１０ａは、電力抑制制御の制御対象として同時に選択され、かつ空調室内機２１のそれぞれが隣接する空調室内機２１の空調エリアである。なお、空調エリアは、１台の空調室内機２１のみが含まれる場合もある。空調エリアは、エネルギー管理システム１の管理者等により予め設定されてもよいし、例えば日単位又は時間単位で自動的に設定されてもよい。空調エリア２１０ａの中心２１００ａは、空調室内機２１ａ１の位置と空調室内機２１ａ２の位置との中心の位置である。
【００３５】
同様に、空調エリア２１０ｂ（空調エリアＢ）は、空調室内機２１ｂ１及び空調室内機２１ｂ２の空調エリアである。空調エリア２１０ｂの中心２１００ｂは、空調室内機２１ｂ１の位置と空調室内機２１ｂ２の位置との中心の位置である。
【００３６】
同様に、空調エリア２１０ｃ（空調エリアＣ）は、空調室内機２１ｃ１及び空調室内機２１ｃ２の空調エリアである。空調エリア２１０ｃの中心２１００ｃは、空調室内機２１ｃ１の位置と空調室内機２１ｃ２の位置との中心の位置である。
【００３７】
ここで、本実施形態における空調室内機２１と冷凍・冷蔵ショーケース３１との位置関係とは、空調エリア２１０に複数の空調室内機２１が含まれる場合、中心２１００と、冷凍・冷蔵ショーケース３１（例えば平面図における冷凍・冷蔵ショーケース３１の中心の位置）との距離である。空調エリア２１０に１台の空調室内機２１のみが含まれる場合、空調室内機２１と冷凍・冷蔵ショーケース３１との位置関係とは、空調室内機２１と、冷凍・冷蔵ショーケース３１との距離である。
【００３８】
図２に戻り説明する。管理部１０３は、店舗内における空調室内機２１と冷凍・冷蔵ショーケース３１との位置情報を管理する。空調エリアに複数の空調室内機２１が含まれる場合、複数の空調室内機２１の平面上における中心の位置情報である。本実施形態における位置情報は、店舗を識別する店舗ＩＤ、フロア（階）及び緯度・経度を含む。緯度・経度は、予めの設置時に設定されてもよいし、ＩＭＥＳ（Ｉｎｄｏｏｒ  ＭＥｓｓａｇｉｎｇ  Ｓｙｓｔｅｍ）及びＺｉｇＢｅｅ等の屋内測位技術を用いて管理されてもよい。なお、緯度・経度は、フロアを細かく区切ったエリアに代えてもよい。
【００３９】
動作状態取得部１０４は、電力計側部１０５により計測された冷凍・冷蔵ショーケース３１の消費電力量に基づき、冷凍・冷蔵ショーケース３１の動作状態を取得する。具体的には、動作状態取得部１０４は、冷凍・冷蔵ショーケース３１の消費電力量が通常運転時の消費電力量より低下したことを契機として、冷凍・冷蔵ショーケース３１のデフロスト動作を検出する。そして、動作状態取得部１０４は、ＥＭＳ制御部１０２に対して、冷凍・冷蔵ショーケース３１がデフロスト動作中であることを通知する。
【００４０】
電力計側部１０５は、ネットワークを介して接続された負荷（冷凍・冷蔵ショーケース３１）毎の消費電力量を測定する。電力計側部１０５は、負荷毎に計測された消費電力量を、動作状態取得部１０４に通知する。
【００４１】
（動作の詳細）
本実施形態における冷凍・冷蔵ショーケース３１の動作状態及び空調室内機２１（空調設備）と冷凍・冷蔵ショーケース３１との位置関係に基づく所定スケジュールを変更する動作を説明する。
【００４２】
まず、動作状態取得部１０４は、電力計側部１０５から通知される冷凍・冷蔵ショーケース３１の消費電力量を監視する。動作状態取得部１０４は、監視している消費電力量が、通常動作時の消費電力量と比べて低下したことを検出すると、冷凍・冷蔵ショーケース３１の動作状態がデフロスト動作中であると判定する。動作状態取得部１０４は、デフロスト動作中であると判定された冷凍・冷蔵ショーケース３１の識別情報及び動作状態がデフロスト動作中であることを示す情報を、ＥＭＳ制御部１０２に通知する。
【００４３】
ＥＭＳ制御部１０２は、動作状態取得部１０４から通知された情報に含まれる冷凍・冷蔵ショーケース３１の識別情報を含む空調設備の位置検索を管理部１０３に要求する。
【００４４】
管理部１０３は、ＥＭＳ制御部１０２からの要求に基づき、冷凍・冷蔵ショーケース３１の識別情報に対応する位置情報に最も近くに位置する空調室内機２１（又は空調エリアの中心２１００）を特定する。次に、管理部１０３は、特定された空調室内機２１の識別情報を、ＥＭＳ制御部１０２に通知する。
【００４５】
ＥＭＳ制御部１０２は、デマンド制御における所定スケジュールに基づき、管理部１０３から通知された識別情報に対応する空調室内機２１の電力抑制制御の制御状態を判定する。具体的には、ＥＭＳ制御部１０２は、通知された識別情報に対応する空調室内機２１が、所定スケジュールにおいて現在、電力抑制制御中であるか否かを判定する。ＥＭＳ制御部１０２は、空調室内機２１の電力抑制制御の制御状態に基づき、所定スケジュールを変更し、変更された所定スケジュールの順番に従い電力抑制制御を実行する。
【００４６】
次に、空調設備が冷房運転の場合と暖房運転の場合とのそれぞれにおけるエネルギー管理システムの動作を説明する。なお、以降の説明において、説明を簡単にするため、空調エリア２１０に含まれる空調室内機２１を１台として説明する。
【００４７】
図４は、本実施形態における空調設備が冷房運転である場合のエネルギー管理システム１の動作を示す図である。図４における前提として、空調室内機２１ａ、２１ｂ、２１ｃは、それぞれ冷凍・冷蔵ショーケース３１ａ、３１ｂ、３１ｃに最も近くに位置する。図４中の「制御」は電力抑制制御中であることを示し、「デフロスト動作」はデフロスト動作中であることを示す。
【００４８】
図４（ａ）は、従来のエネルギー管理システム１、すなわち本実施形態における所定スケジュールを変更する制御が適用されない場合のエネルギー管理システム１の動作を示す図である。
【００４９】
図４（ａ）に示すように、デマンド制御における所定スケジュールに従い、空調室内機２１ａ、２１ｂ、２１ｃの順番に、それぞれ所定時間、電力抑制制御が実行されている。ここで、冷凍・冷蔵ショーケース３１ａがデフロスト動作中であるとき、空調室内機２１ａは所定時間のうちの一部の時間帯が電力抑制制御中となっている。すなわちデフロスト動作中である冷凍・冷蔵ショーケース３１ａに最も近い空調室内機２１ａは、冷房運転が停止されているか又は冷房が弱められ動作されている。そのため、デフロスト動作中と電力抑制制御中とが重なる時間帯における冷凍・冷蔵ショーケース３１ａの庫内の温度は、過度に上昇している。
【００５０】
図４（ｂ）は、本実施形態における所定スケジュールを変更する制御が空調室内機２１ａに対して適用されている場合のエネルギー管理システム１の動作を示す図である。言い換えると、空調室内機２１ｂ、２１ｃには、本実施形態における所定スケジュールを変更する制御が適用されていない。
【００５１】
図４（ｂ）の例では、図４（ａ）と比べて、冷凍・冷蔵ショーケース３１ａによるデフロスト動作開始以降の空調室内機２１に対する電力抑制制御を実行する所定スケジュールが変更されている。具体的には、冷凍・冷蔵ショーケース３１ａにおいてデフロスト動作が開始された時点で、空調室内機２１ａに対する電力抑制制御は解除され、以降の所定スケジュールが前倒され、空調室内機２１ｂに対する電力抑制制御が実行されるように変更されている。すなわち、冷凍・冷蔵ショーケース３１ａがデフロスト動作中において、冷凍・冷蔵ショーケース３１ａに最も近くに位置する空調室内機２１ａが電力抑制制御中とならないように所定スケジュールが変更されている。これにより、デフロスト動作中である冷凍・冷蔵ショーケース３１ａの庫内の温度が、空調室内機２１ａの冷房により過度に上昇されないように制御できる。
【００５２】
一方、図４（ｂ）の例では、空調室内機２１ｂに対して所定スケジュールの変更制御が適用されない。そのため、冷凍・冷蔵ショーケース３１ｂがデフロスト動作中において、冷凍・冷蔵ショーケース３１ｂに最も近い空調室内機２１ｂが電力抑制制御中となっており、冷凍・冷蔵ショーケース３１ｂの庫内の過度の温度上昇が引き起こされる。
【００５３】
図４（ｃ）は、本実施形態における所定スケジュールを変更する制御が全ての空調室内機２１ａ、２１ｂ、２１ｃに対して適用されている場合のエネルギー管理システム１の動作を示す図である。
【００５４】
図４（ｃ）の例では、図４（ｂ）と比べて、冷凍・冷蔵ショーケース３１ｂによるデフロスト動作開始以降の空調室内機２１に対する電力抑制制御を実行する所定スケジュールが変更されている。具体的には、冷凍・冷蔵ショーケース３１ｂにおいてデフロスト動作が開始された時点で、空調室内機２１ｂに対する電力抑制制御は解除され、空調室内機２１ｃに対する電力抑制制御が実行されるように変更されている。さらに、冷凍・冷蔵ショーケース３１ｂがデフロスト動作中において、空調室内機２１ｂ以外の空調室内機２１ａに対して電力抑制制御が実行されるように、電力抑制制御を行う順番が所定スケジュールから変更されている。これにより、デフロスト動作中である冷凍・冷蔵ショーケース３１ｂの庫内の温度が、空調室内機２１ｂの冷房により過度に上昇されないように制御できる。
【００５５】
なお、所定スケジュールの変更制御において、特定の空調エリア２１０の過度な温度上昇を抑制するため、電力抑制制御が実行される所定時間は、一定時間以下になるように制御されることが望ましい。
【００５６】
上述したように、空調室内機２１が冷房運転である場合の所定スケジュールの変更は、デフロスト動作中である冷凍・冷蔵ショーケース３１に最も近い空調室内機２１が電力抑制制御の制御対象とならないように、制御対象の順番が変更される。これにより、空調室内機２１が冷房運転の場合において、デフロスト動作中である冷凍・冷蔵ショーケース３１の庫内の過度な温度上昇を回避できる。
【００５７】
図５は、本実施形態における空調設備が暖房運転である場合のエネルギー管理システム１の動作を示す図である。図５における前提として、空調室内機２１ａ、２１ｂ、２１ｃは、それぞれ冷凍・冷蔵ショーケース３１ａ、３１ｂ、３１ｃに最も近くに位置する。図５中の「制御」は電力抑制制御中であることを示し、「デフロスト動作」はデフロスト動作中であることを示す。
【００５８】
図５（ａ）は、従来のエネルギー管理システム１、すなわち本実施形態における所定スケジュールを変更する制御が適用されない場合のエネルギー管理システム１の動作を示す図である。
【００５９】
図５（ａ）に示すように、デマンド制御における所定スケジュールに従い、空調室内機２１ａ、２１ｂ、２１ｃの順番に、それぞれ所定時間、電力抑制制御が実行されている。ここで、冷凍・冷蔵ショーケース３１ｂがデフロスト動作を開始した時点で、冷凍・冷蔵ショーケース３１ｂに最も近い空調室内機２１ｂは通常運転（暖房運転）中となっている。そのため、デフロスト動作中と電力抑制制御中とが重なる時間帯における冷凍・冷蔵ショーケース３１ａの庫内の温度は、過度に上昇している。
【００６０】
図５（ｂ）は、本実施形態における所定スケジュールを変更する制御が空調室内機２１ｂに対して適用されている場合のエネルギー管理システム１の動作を示す図である。言い換えると、空調室内機２１ｃには、本実施形態における所定スケジュールを変更する制御が適用されていない。
【００６１】
図５（ｂ）の例では、図５（ａ）と比べて、冷凍・冷蔵ショーケース３１ａによるデフロスト動作開始以降の空調室内機２１に対する電力抑制制御を実行する所定スケジュールが変更されている。具体的には、冷凍・冷蔵ショーケース３１ｂにおいてデフロスト動作が開始された時点で、空調室内機２１ａに対する電力抑制制御は解除され、冷凍・冷蔵ショーケース３１ｂに最も近くに位置する空調室内機２１ｂに対する電力抑制制御が実行されるように所定スケジュールが変更されている。これにより、デフロスト動作中である冷凍・冷蔵ショーケース３１ｂの庫内の温度が、空調室内機２１ａの暖房により過度に上昇されないように制御できる。
【００６２】
一方、図５（ｂ）の例では、空調室内機２１ｃに対して所定スケジュールの変更制御が適用されない。そのため、冷凍・冷蔵ショーケース３１ｃがデフロスト動作中において、冷凍・冷蔵ショーケース３１ｃに最も近い空調室内機２１ｃが電力抑制制御中となっており、冷凍・冷蔵ショーケース３１ｃの庫内の過度の温度上昇が引き起こされる。
【００６３】
図５（ｃ）は、本実施形態における所定スケジュールを変更する制御が全ての空調室内機２１ａ、２１ｂ、２１ｃに対して適用されている場合のエネルギー管理システム１の動作を示す図である。
【００６４】
図５（ｃ）の例では、図５（ｂ）と比べて、冷凍・冷蔵ショーケース３１ｂによるデフロスト動作開始以降の空調室内機２１に対する電力抑制制御を実行する所定スケジュールが変更されている。具体的には、冷凍・冷蔵ショーケース３１ｃがデフロスト動作中において、空調室内機２１ｂに対する電力抑制制御は解除され、空調室内機２１ｃに対する電力抑制制御が実行されるように変更されている。
【００６５】
ここで、ある空調室内機２１（空調室内機２１ｃ）の電力抑制制御が終了した時と、同一の空調室内機２１（空調室内機２１ｃ）の電力抑制制御を開始する時との時間差が、所定間隔である制御禁止時間以上空くように所定スケジュールが変更される。制御禁止時間は、空調エリア内の過度な温度低下を抑止するために設けられる。
【００６６】
なお、所定スケジュールの変更制御において、特定の空調エリア２１０の過度な温度低下を抑制するため、電力抑制制御が実行される所定時間は、一定時間以下になるように制御されることが望ましい。
【００６７】
上述したように、空調室内機２１が暖房運転である場合の所定スケジュールの変更は、デフロスト動作中である冷凍・冷蔵ショーケース３１に最も近い空調室内機２１が電力抑制制御の制御対象となるように、制御対象の順番が変更される。但し、電力抑制制御の終了時と次の開始時との間に所定間隔（制御禁止時間）が設けられるように、所定スケジュールが変更される。これにより、空調室内機２１が暖房運転の場合において、デフロスト動作中である冷凍・冷蔵ショーケース３１の庫内の過度な温度上昇を回避できる。
【００６８】
（冷房運転の場合の処理手順）
図６は、本実施形態における空調設備が冷房運転である場合のエネルギー管理装置１０によるデフロスト動作検出時の所定スケジュールの変更処理手順を示すフローチャート図である。
【００６９】
ステップＳ１０１において、動作状態取得部１０４は、冷凍・冷蔵ショーケース３１の消費電力量の変化（低下）に基づき、冷凍・冷蔵ショーケース３１の動作状態がデフロスト動作中であることを検出する。動作状態取得部１０４は、デフロスト動作中である冷凍・冷蔵ショーケース３１の識別情報及びデフロスト動作中であることを示す情報をＥＭＳ制御部１０２に通知する。
【００７０】
ステップＳ１０２において、管理部１０３は、ＥＭＳ制御部１０２からの要求に基づき、デフロスト動作中である冷凍・冷蔵ショーケース３１に最も近い空調室内機２１を検索し、特定する。
【００７１】
ステップＳ１０３において、ＥＭＳ制御部１０２は、管理部１０３により特定されたデフロスト動作中の冷凍・冷蔵ショーケース３１に最も近い空調室内機２１の制御状態（電力抑制制御中であるか否か）を判定する。
【００７２】
ここで、空調室内機２１の制御状態が電力抑制制御中でないと判定された場合（ステップＳ１０３においてＮＯ）、所定スケジュールの変更処理を終了する。すなわち所定スケジュールを変更せず、所定スケジュールに基づく順番で空調室内機２１に対する電力抑制制御が実行される。
【００７３】
一方、空調室内機２１の制御状態が電力抑制制御中であると判定された場合（ステップＳ１０３においてＹＥＳ）、ステップＳ１０４において、ＥＭＳ制御部１０２は、特定された冷凍・冷蔵ショーケース３１に最も近い空調室内機２１に対する電力抑制制御を解除する。
【００７４】
ステップＳ１０５において、ＥＭＳ制御部１０２は、電力抑制制御の制御対象を、所定スケジュールにおいて次の制御対象の空調室内機２１に変更する。
【００７５】
ステップＳ１０６において、管理部１０３は、ＥＭＳ制御部１０２からの要求に基づき、次の空調室内機２１に最も近くに位置する冷凍・冷蔵ショーケース３１を検索し、特定する。
【００７６】
ステップＳ１０７において、管理部１０３は、次の空調室内機２１に最も近くに位置する冷凍・冷蔵ショーケース３１がデフロスト動作中であるか否かを、動作状態取得部１０４に問い合わせる。そして、管理部１０３は、デフロスト動作中であるか否かを示す情報を、ＥＭＳ制御部１０２に通知する。ＥＭＳ制御部は、管理部１０３からの情報に基づき、次の空調室内機２１に最も近くに位置する冷凍・冷蔵ショーケース３１がデフロスト動作中であるか否かを判定する。
【００７７】
ここで、次の空調室内機２１に最も近くに位置する冷凍・冷蔵ショーケース３１がデフロスト動作中であると判定された場合（ステップＳ１０７においてＹＥＳ）、ステップＳ１０８において、次の空調室内機２１がステップＳ１０２において特定された空調室内機２１と同じであるか否かが判定される。
【００７８】
次の空調室内機２１がステップＳ１０２において特定された空調室内機２１と同じであると判定された場合（Ｓ１０８においてＹＥＳ）、所定スケジュールの変更処理を終了する。すなわち所定スケジュールを変更せず、所定スケジュールに基づく順番で空調室内機２１に対する電力抑制制御が実行される。
【００７９】
一方、次の空調室内機２１がステップＳ１０２において特定された空調室内機２１と同じでないと判定された場合（Ｓ１０８においてＮＯ）、ステップＳ１０５以降の処理が再度実行される。
【００８０】
ここで、ステップＳ１０７において次の空調室内機２１に最も近くに位置する冷凍・冷蔵ショーケース３１がデフロスト動作中でないと判定された場合（ステップＳ１０７においてＮＯ）、ステップＳ１０９の処理が実行される。
【００８１】
ステップＳ１０９において、ＥＭＳ制御部１０２は、電力抑制制御の制御対象を、ステップＳ１０５における次の制御対象の空調室内機２１に対する電力抑制制御を実行する。
【００８２】
ステップＳ１１０において、以降の所定スケジュールを変更する。
【００８３】
図７は、本実施形態における空調設備が冷房運転である場合のエネルギー管理装置１０による電力抑制制御の制御対象変更時の時の所定スケジュールの変更処理手順を示すフローチャート図である。
【００８４】
ステップＳ２０１において、ＥＭＳ制御部１０２は、所定スケジュールの順番に基づく空調室内機２１に制御対象を移行する。
【００８５】
ステップＳ２０２において、管理部１０３は、ＥＭＳ制御部１０２からの要求に基づき、制御対象が移行された、現在の制御対象の空調室内機２１に最も近くに位置する冷凍・冷蔵ショーケース３１を検索し、特定する。
【００８６】
ステップＳ２０３において、管理部１０３は、現在の制御対象の空調室内機２１に最も近くに位置する冷凍・冷蔵ショーケース３１がデフロスト動作中であるか否かを、動作状態取得部１０４に問い合わせる。そして、管理部１０３は、デフロスト動作中であるか否かを示す情報を、ＥＭＳ制御部１０２に通知する。ＥＭＳ制御部は、管理部１０３からの情報に基づき、現在の制御対象の空調室内機２１に最も近くに位置する冷凍・冷蔵ショーケース３１がデフロスト動作中であるか否かを判定する。
【００８７】
ここで、現在の制御対象の空調室内機２１に最も近くに位置する冷凍・冷蔵ショーケース３１がデフロスト動作中でないと判定された場合（ステップＳ２０３においてＮＯ）、ステップＳ２０４において、現在の制御対象の空調室内機２１に対する電力抑制制御を実行する。
【００８８】
一方、現在の制御対象の空調室内機２１に最も近くに位置する冷凍・冷蔵ショーケース３１がデフロスト動作中であると判定された場合（ステップＳ２０３においてＹＥＳ）、ステップＳ２０５からステップＳ２１０の処理が実行される。ステップＳ２０５からステップＳ２１０のそれぞれの処理は、図６におけるステップＳ１０５からステップＳ１１０のそれぞれの処理に対応する。
【００８９】
（暖房運転の場合の処理手順）
図８は、本実施形態における空調設備が暖房運転である場合のエネルギー管理装置１０によるデフロスト動作検出時の所定スケジュールの変更処理手順を示すフローチャート図である。
【００９０】
ステップＳ３０１において、動作状態取得部１０４は、冷凍・冷蔵ショーケース３１の消費電力量の変化（低下）に基づき、冷凍・冷蔵ショーケース３１の動作状態がデフロスト動作中であることを検出する。動作状態取得部１０４は、デフロスト動作中である冷凍・冷蔵ショーケース３１の識別情報及びデフロスト動作中であることを示す情報をＥＭＳ制御部１０２に通知する。
【００９１】
ステップＳ３０２において、管理部１０３は、ＥＭＳ制御部１０２からの要求に基づき、現在の制御対象の空調室内機２１に最も近くに位置する冷凍・冷蔵ショーケース３１を検索し、特定する。
【００９２】
ステップＳ３０３において、管理部１０３は、現在の制御対象の空調室内機２１に最も近くに位置する冷凍・冷蔵ショーケース３１がデフロスト動作中であるか否かを、動作状態取得部１０４に問い合わせる。そして、管理部１０３は、デフロスト動作中であるか否かを示す情報を、ＥＭＳ制御部１０２に通知する。ＥＭＳ制御部は、管理部１０３からの情報に基づき、現在の制御対象の空調室内機２１に最も近くに位置する冷凍・冷蔵ショーケース３１がデフロスト動作中であるか否かを判定する。
【００９３】
ここで、現在の制御対象の空調室内機２１に最も近くに位置する冷凍・冷蔵ショーケース３１がデフロスト動作中であると判定された場合（ステップＳ３０３においてＹＥＳ）、所定スケジュールの変更処理を終了する。すなわち所定スケジュールを変更せず、所定スケジュールに基づく順番で空調室内機２１に対する電力抑制制御が実行される。
【００９４】
一方、現在の制御対象の空調室内機２１に最も近くに位置する冷凍・冷蔵ショーケース３１がデフロスト動作中でないと判定された場合（ステップＳ３０３においてＮＯ）、ステップＳ３０４において、管理部１０３は、ＥＭＳ制御部１０２からの要求に基づき、デフロスト動作中である冷凍・冷蔵ショーケース３１に最も近い空調室内機２１を検索し、特定する。
【００９５】
ステップＳ３０５において、ＥＭＳ制御部１０２は、管理部１０３により特定されたデフロスト動作中の冷凍・冷蔵ショーケース３１に最も近い空調室内機２１の制御状態（電力抑制制御中であるか否か）を判定する。
【００９６】
ここで、空調室内機２１の制御状態が電力抑制制御中であると判定された場合（ステップＳ３０５においてＹＥＳ）、所定スケジュールの変更処理を終了する。すなわち所定スケジュールを変更せず、所定スケジュールに基づく順番で空調室内機２１に対する電力抑制制御が実行される。
【００９７】
一方、空調室内機２１の制御状態が電力抑制制御中でないと判定された場合（ステップＳ３０５においてＮＯ）、ステップＳ３０６において、ステップＳ３０４で特定された最も近い空調室内機２１の制御禁止時間が調査される。
【００９８】
ステップＳ３０７において、現在が制御禁止時間内であるか否かが判定される。
【００９９】
ここで、現在が制御禁止時間内であると判定された場合（ステップＳ３０７においてＹＥＳ）、ステップＳ３０８において制御禁止時間が経過するまで待機する。
【０１００】
ステップＳ３０９において、ステップＳ３０２で特定された位置する冷凍・冷蔵ショーケース３１がデフロスト動作中であるか否かを判定する。
【０１０１】
ここで、冷凍・冷蔵ショーケース３１がデフロスト動作中でないと判定され場合（ステップＳ３０９においてＮＯ）、所定スケジュールの変更処理を終了する。すなわち所定スケジュールを変更せず、所定スケジュールに基づく順番で空調室内機２１に対する電力抑制制御が実行される。
【０１０２】
一方、冷凍・冷蔵ショーケース３１がデフロスト動作中であると判定され場合（ステップＳ３０９においてＹＥＳ）、ステップＳ３０６以降の処理が再度実行される。
【０１０３】
ここで、ステップＳ３０７において、現在が制御禁止時間内でないと判定された場合（ステップＳ３０７においてＮＯ）、ステップＳ３１０において、ＥＭＳ制御部１０２は、電力抑制制御の制御対象を、ステップＳ３０４で特定された最も近い空調室内機２１に変更する。
【０１０４】
ステップＳ３１１において、ＥＭＳ制御部１０２は、現在の制御対象の空調室内機２１に対する電力抑制制御を解除する。
【０１０５】
ステップＳ３１２において、ＥＭＳ制御部１０２は、電力抑制制御の制御対象を、ステップＳ３１０で制御対象が変更された最も近い空調室内機２１に対する電力抑制制御を実行する。
【０１０６】
ステップＳ３１３において、以降の所定スケジュールを変更する。
【０１０７】
以上説明したように、本実施形態のエネルギー管理システム１によれば、空調室内機２１（空調設備）が冷房運転である場合、デフロスト動作中である冷凍・冷蔵ショーケース３１（冷却設備）に最も近い空調室内機２１（空調設備）が電力抑制制御の制御対象とならないように、所定スケジュールにおける制御対象の順番を変更できる。
【０１０８】
一方、本実施形態のエネルギー管理システム１によれば、空調室内機２１（空調設備）が暖房運転である場合、デフロスト動作中である冷凍・冷蔵ショーケース３１（冷却設備）に最も近い空調室内機２１（空調設備）が電力抑制制御の制御対象となるように、所定スケジュールにおける制御対象の順番を変更できる。
【０１０９】
これにより、空調室内機２１が冷房運転及び暖房運転のいずれの場合であっても、デフロスト動作中である冷凍・冷蔵ショーケース３１（冷却設備）の庫内の過度な温度上昇を回避できる。したがって、冷凍・冷蔵ショーケース３１（冷却設備）の庫内の食品の品質の劣化を防ぐことができる。
【０１１０】
［本実施形態の変形例］
本実施形態の変形例におけるエネルギー管理システム１は、店舗内における人の流量及び人の移動速度に基づき、空調室内機２１（空調設備）の動作を制御するシステムである。変形例について、本実施形態との相違点を中心に説明する。
【０１１１】
図９は、本実施形態の変形例におけるエネルギー管理装置１０ａの機能ブロック図である。
【０１１２】
図９に示すように、本実施形態の変形例におけるエネルギー管理装置１０ａは、図２に示したエネルギー管理装置１０が備える機能に加えて、人流量・移動速度計測部１０６と、判定部１０７とを備える。人流量・移動速度計測部１０６は、店舗内に複数設置される人の存在及び移動等を検知する人感センサ４０と接続されている。
【０１１３】
人感センサ４０は、赤外線センサ、超音波センサ、可視光センサ又はこれらが組み合わされたセンサ等である。人感センサ４０は、店舗内の出入口、レジ及び各売場等に設置される。
【０１１４】
人流量・移動速度計測部１０６は、人感センサ４０により検出される人の存在及び移動を示す情報に基づき、人の流量及び人の移動速度を計測する。
【０１１５】
判定部１０７は、人流量・移動速度計測部１０６により計測された人の流量及び人の移動速度と、管理部１０３により管理される後述する図１０に示す空調制御情報管理テーブルとに基づき、空調室内機２１に実行させる動作を判定する。
【０１１６】
変形例における管理部１０３は、図１０に示す空調制御情報管理テーブルを管理する。図１０は、本実施形態の変形例における空調設備制御情報管理テーブルに含まれる情報を示す図である。
【０１１７】
図１０に示すように、空調制御情報管理テーブルには、データ項目として、管理番号である「ＩＤ」、「人の流量」、「人の移動速度」並びに「冷房時」及び「暖房時」における空調室内機２１の動作が含まれる。
【０１１８】
「人の流量」は、人感センサ４０が設置された場所における人数である。「人の流量」は、例えば所定の基準に基づき「多い」、「少ない」等で示される。「人の移動速度」は、人感センサ４０が設置された場所における人の移動速度である。「人の移動速度」は、例えば所定の基準に基づき「速い」、「遅い」等で示される。「冷房時」は、空調室内機２１が冷房運転時の空調室内機２１の動作である。空調室内機２１の動作は、「強」及び「弱」等の種類がある。「暖房時」、空調室内機２１が暖房運転時の空調室内機２１の動作である。空調室内機２１の動作は、「強」及び「弱」等の種類がある。なお、各項目は数値として管理されてもよい。
【０１１９】
変形例における空調制御は、次の手順で実施される。まず人流量・移動速度測定部１０６は、人感センサ４０により検知される人の存在及び移動を示す情報に基づき人の流量及び人の移動速度を測定する。次に、人流量・移動速度測定部１０６は、測定された人の流量及び人の移動速度を判定部１０７に通知する。
【０１２０】
判定部１０７は、通知された人の流量及び人の移動速度と、管理部１０３により管理される空調設備制御情報管理テーブルとに基づき、空調室内機２１の動作を決定する。例えば、測定された「人の流量」が多く、「人の移動速度」が遅い場合、空調設備制御情報管理テーブルのＩＤ「２」に対応する冷房時「強」、暖房時「強」の動作が選択される。
【０１２１】
判定部１０７は、空調制御部１０１を介して、検知された場所（人感センサ４０が設置された場所）に対応する空調室内機２１（空調設備）に対して、選択された動作に基づく動作で運転するように空調制御する。
【０１２２】
上述した空調制御により、変形例におけるエネルギー管理システム１は、店舗内における人の流量及び人の移動速度に基づき、空調室内機２１の動作を制御できる。
【０１２３】
これにより、例えばレジ付近のような人数が多く、人が滞留する場所における空調を強くするように制御でき、店舗における快適性を向上させることができる。
【０１２４】
［その他の実施形態］
本実施形態において、エネルギー管理装置１０は、ＨＥＭＳ（Ｈｏｍｅ  Ｅｎｅｒｇｙ  Ｍａｎａｇｅｍｅｎｔ  Ｓｙｓｔｅｍ）に設けられていてもよく、ＢＥＭＳ（Ｂｕｉｌｄｉｎｇ  Ｅｎｅｒｇｙ  Ｍａｎａｇｅｍｅｎｔ  Ｓｙｓｔｅｍ）に設けられていてもよく、ＦＥＭＳ（Ｆａｃｔｏｒｙ  Ｅｎｅｒｇｙ  Ｍａｎａｇｅｍｅｎｔ  Ｓｙｓｔｅｍ）に設けられていてもよい。
【符号の説明】
【０１２５】
１        エネルギー管理システム
１０      エネルギー管理装置
１０１    空調制御部
１０２    ＥＭＳ制御部
１０３    管理部
１０４    動作状態取得部
１０５    電力計測部
１０６    人流量・移動速度計測部
１０７    判定部
２０      空調設備
２１      空調設備の室内機（空調室内機）
２２      空調設備の室外機（空調室外機）
３０      冷却設備
３１      冷却設備の冷凍・冷蔵ショーケース
３２      冷却設備の冷凍・冷蔵機
４０      人感センサ
【図１】
2016008738.tif 000003
【図２】
2016008738.tif 000004
【図３】
2016008738.tif 000005
【図４】
2016008738.tif 000006
【図５】
2016008738.tif 000007
【図６】
2016008738.tif 000008
【図７】
2016008738.tif 000009
【図８】
2016008738.tif 000010
【図９】
2016008738.tif 000011
【図１０】
2016008738.tif 000012